(57)【特許請求の範囲】
【請求項１】
チョッパブレードによって折丁が押し込まれる溝を有するチョッパテーブルと、当該溝の内側に上記折丁を案内する一対の溝部材と、を備える輪転印刷機のチョッパ装置であって、上記溝部材の各々の全周面には、曲率の異なる複数個の湾曲面が、周方向に連なるように形成され、各溝部材が軸受部材に回動調節可能に支持され、上記一対の溝部材は、前記溝部材同士間の間隔を加減する間隔調整手段を介してチョッパ装置の機枠に取り付けられたことを特徴とする輪転印刷機のチョッパ装置。
【請求項２】
請求項１に記載の輪転印刷機のチョッパ装置において、上記間隔調整手段は上記一対の溝部材の軸受部材に螺合する送りネジ棒を有し、送りネジ棒には一方の溝部材の軸受部材に螺合する螺旋と他方の溝部材の軸受部材に螺合する螺旋とが逆向きである雄ネジが形成されたことを特徴とする輪転印刷機のチョッパ装置。
【発明の詳細な説明】
【技術分野】
【０００１】
本発明は、輪転印刷機のチョッパ装置に関する。
【背景技術】
【０００２】
輪転印刷機の折機内には、図５に示すようなチョッパ装置が設けられる。チョッパ装置は、折機内で所定回数折り曲げられた折丁を更に折り曲げるための装置である。図５中、符号１は輪転印刷機の折機内で所定回数折り曲げられた折丁ａが乗り上がるチョッパテーブルを示す。チョッパテーブル１の上方にはチョッパブレード２が配置され、下方にはチョッパテーブル１を挟んでチョッパブレード２と対峙するように吸込みローラ３が配置される。チョッパテーブル１には、チョッパブレード２及び吸込みローラ３に対向する位置に、チョッパブレード２によって折丁ａが押し込まれる溝１ａが形成される。この溝１ａの内側には、チョッパブレード２によって押し込まれる折丁ａを案内する一対の溝部材４，５が設けられる。
【０００３】
チョッパ装置が駆動すると、上記折丁ａがチョッパテーブル１の溝１ａ上に到来する都度、チョッパブレード２が上下に一回動し、これにより折丁ａの中心部が溝１ａ内に押し込まれる。押し込まれた折丁ａは溝部材４，５に案内されつつ二つ折りになって吸込みローラ３に至り、吸込みローラ３によって更に折り癖を付けられて下方に排出される。
【０００４】
このチョッパ装置による折丁ａのチョッパ折りの精度は、折丁ａの紙の種類、厚さ等によって変化することが知られており、従来、紙の種類等が変わると輪転印刷機のオペレータによって、折丁ａを折りやすくするための調整が行われている。
【０００５】
その調整方法としては、溝部材をチョッパテーブルとは別体とし、溝部材同士間の間隔を加減することによってチョッパ折りの精度を高めようとするものがある（例えば、特許文献１参照）。また、溝部材の内側の湾曲面を曲率半径が漸変するように形成し、この溝部材を所望角度回動させることで折丁に当たる溝部材の湾曲面を変えたり、チョッパテーブルを溝上で二分割して各々に溝部材を取り付け、チョッパテーブルを移動させることで溝部材の間隔を変化させたりすることも行われている（例えば、特許文献２参照）。また、折丁はその一辺が袋状になっているが、反対側の辺は耳状になっているため、溝部材への接触の仕方が溝の長さ方向で異なる。そこで、溝部材の湾曲面の曲率を溝の長さ方向で変化させるようなことも行われている（例えば、特許文献３，４参照）。
【先行技術文献】
【特許文献】
【０００６】
【特許文献１】特開昭５８−１７０６４号公報
【特許文献２】特開平１１−１３９６８３号公報
【特許文献３】特開２０００−２８９９２５号公報
【特許文献４】特開昭６１−１１９５６８号公報
【発明の概要】
【発明が解決しようとする課題】
【０００７】
従来のチョッパ装置は、一対の溝部材（１７，１８）の湾曲面の種類は一様であって、紙種等の変更によって変化させるようになっていない（例えば、特許文献１，３，４）。一対の溝部材に曲率の変更が可能な湾曲面を有しているものもあるが、その曲率は溝部材の一方向に漸減又は漸増しているので、湾曲面に大きな段差部分が生じる（例えば、特許文献２参照）。そのため、折丁が溝部材の段差部分に当たると、折丁に傷が生じるおそれがある。また、溝部材間の間隔調整が可能なものは、チョッパテーブルを二分割して各々に溝部材を取り付けることにより溝部材間の間隔調整を行うようになっているので、チョッパテーブルを動かさなければならず、溝幅の調整が面倒であるという問題がある（例えば、特許文献２参照）。
【０００８】
したがって、本発明は上記問題点を解決することができる輪転印刷機のチョッパ装置を提供することを目的とする。
【課題を解決するための手段】
【０００９】
上記課題を解決するため、本発明は次のような構成を採用する。
【００１０】
なお、本発明の理解を容易にするため括弧付きの符号を付すが、本発明はこれに限定されるものではない。
【００１１】
すなわち、請求項１に係る発明は、チョッパブレード（１５）によって折丁（ａ）が押し込まれる溝（１３ａ）を有するチョッパテーブル（１３）と、当該溝（１３ａ）の内側に、上記折丁（ａ）を案内する一対の溝部材（１７，１８）と、を備える輪転印刷機のチョッパ装置であって、上記溝部材（１７，１８）の各々の全周面には、曲率の異なる複数個の湾曲面（１７ａ，１７ｂ，１７ｃ，１７ｄ，１８ａ，１８ｂ，１８ｃ，１８ｄ）が、周方向に連なるように形成され、各溝部材（１７，１８）が軸受部材（１９）に回動調節可能に支持され、上記一対の溝部材（１７，１８）は、前記溝部材（１７，１８）同士間の間隔を加減する間隔調整手段（２３，２４）を介してチョッパ装置（１１）の機枠に取り付けられた輪転印刷機のチョッパ装置を採用する。
【００１２】
また、請求項２に記載されるように、請求項１に記載の輪転印刷機のチョッパ装置において、上記間隔調整手段は上記一対の溝部材（１７，１８）の軸受部材（１９）に螺合する送りネジ棒（２３，２４）を有し、送りネジ棒（２３，２４）には一方の溝部材（１７）の軸受部材（１９）に螺合する螺旋（２３ａ，２４ａ）と他方の溝部材（１８）の軸受部材（１９）に螺合する螺旋（２３ｂ，２４ｂ）とが逆向きである雄ネジが形成されたものとすることができる。
【発明の効果】
【００１３】
本発明によれば、チョッパブレード（１５）によって折丁（ａ）が押し込まれる溝（１３ａ）を有するチョッパテーブル（１３）と、当該溝（１３ａ）の内側に、上記折丁（ａ）を案内する一対の溝部材（１７，１８）と、を備える輪転印刷機のチョッパ装置であって、上記溝部材（１７，１８）の各々の全周面には、曲率の異なる複数個の湾曲面（１７ａ，１７ｂ，１７ｃ，１７ｄ，１８ａ，１８ｂ，１８ｃ，１８ｄ）が、周方向に滑らかに連なるように形成され、各溝部材（１７，１８）が軸受部材（１９）に回動調節可能に支持され、上記一対の溝部材（１７，１８）は、前記溝部材（１７，１８）同士間の間隔を加減する間隔調整手段（２３，２４）を介してチョッパ装置（１１）の機枠に取り付けられた輪転印刷機のチョッパ装置であるから、溝部材（１７，１８）の各々の周面には段差部分が存在せず、したがって折丁（ａ）の傷つき等を防止することができる。また、溝部材（１７，１８）同士間の間隔調整は、チョッパテーブル（１３）を移動させることなく溝部材（１７，１８）のみを移動させて行うことができるので、折丁（ａ）が通る溝幅の間隔調整を正確かつ簡易に行うことができる。
【図面の簡単な説明】
【００１４】
【図１】本発明に係るチョッパ装置を輪転印刷機の折機内に配置した状態で示す説明図である。
【図２】チョッパ装置の概略平面図である。
【図３】チョッパ装置の概略正面図である。
【図４】チョッパ装置の概略右側面図である。
【図５】従来のチョッパ装置の概略正面図である。
【発明を実施するための形態】
【００１５】
以下、図面を参照して本発明を実施するための形態について説明する。
【００１６】
図１に示すように、輪転印刷機の排紙側には、折機が配置される。
【００１７】
折機内には、ウェブＡの流れ方向に見て、三角板６、各種ガイドローラ７、断裁胴８、受け胴９、咥え胴１０、チョッパ装置１１等が順に配置される。
【００１８】
輪転印刷機内を走行しつつ印刷されたウェブＡは、三角板６でウェブＡの走行方向に沿った中央で二重折りされ、各種ガイドローラ７に案内されつつ断裁胴８と受け胴９との間に至り、断裁胴８によって所定長さの折丁ａに切断されると同時に受け胴９に受け取られ、咥え胴１０に渡される。この折丁ａは咥え胴１０によって走行方向に直角な方向に沿う中央で二つ折りされた状態で咥えられ、チョッパ装置１１へと送られる。咥え胴１０とチョッパ装置１１との間には折丁ａの走行台１２が設けられる。走行台１２には折丁ａを咥え胴１０からチョッパ装置１１へと送るための図示しない無端ベルト等が設けられる。
【００１９】
チョッパ装置１１は、咥え胴１０から送られて来る折丁ａを更に二つ折りにするもので、図１乃至図４に示すように、咥え胴１０側から来る所定回数折り曲げられた折丁ａが乗り上がるチョッパテーブル１３を備える。
【００２０】
チョッパテーブル１３には、咥え胴１０から放出され、走行台１２上を搬送されて来た折丁ａを受け止めて定位置に停止させるストッパ１４が設けられる。また、ストッパ１４の直角方向に伸び、かつ、ストッパ１４に当たって停止した折丁ａの中央部に対応する箇所に四角形の溝１３ａが形成される。
【００２１】
チョッパテーブル１３の上方にはチョッパブレード１５が配置され、チョッパテーブル１３の下方にはチョッパテーブル１３の溝１３ａを挟んでチョッパブレード１３に対峙するように吸込みローラ１６が配置される。
【００２２】
チョッパブレード１５は、折丁ａが走行台１２上から到来するたびに上下方向に一往復回動するように駆動される。チョッパブレード１５はチョッパテーブル１３の上方で待機し、折丁ａがチョッパテーブル１３上に来てストッパ１４に当たって停止すると、下方に回動して折丁ａの中心部をチョッパテーブル１３の溝１３ａ内へと押し込み、折丁ａを二つ折りしつつチョッパテーブル１３下へ降下させる。
【００２３】
吸込みローラ１６は、対で設けられる駆動ローラであり、チョッパテーブル１３下で図３に示す矢印方向に常時回転する。吸い込みローラ１６は、チョッパブレード１５により溝１３ａ内に押し込まれた折丁ａの下端部を吸い込むごとく挟み込み、折丁ａを加圧しつつ下方に落下させる。
【００２４】
上記チョッパテーブル１３の溝１３ａの内側には、チョッパブレード１５によって押し込まれる折丁ａを案内する一対の溝部材１７，１８が設けられる。
【００２５】
図３に示すように、一対の溝部材１７，１８の各々の周面には、曲率の異なる複数個の湾曲面１７ａ，１７ｂ，１７ｃ，１７ｄ，１８ａ，１８ｂ，１８ｃ，１８ｄが、周方向に滑らかに連なるように形成される。これらの湾曲面１７ａ，１７ｂ，１７ｃ，１７ｄ，１８ａ，１８ｂ，１８ｃ，１８ｄは例えば溝部材１７，１８の周方向に９０度ごとに曲率が変化するように形成される。この場合は四種類の曲率の湾曲面１７ａ，１７ｂ，１７ｃ，１７ｄ，１８ａ，１８ｂ，１８ｃ，１８ｄが各溝部材１７，１８の周面に設けられる。
【００２６】
各溝部材１７，１８は、図２及び図４に示すように、軸受部材１９に回動調節可能に両端支持される。そして、各溝部材１７，１８の支軸２０，２１が軸受部材１９から外側に突出する箇所にはノブ２２が固定される。また、図示しないが、溝部材１７，１８の回り止め手段としての固定ねじが軸受部材１９に螺入される。固定ねじを一方向に回して固定ねじの先端を支軸２０，２１に押し付けると溝部材１７，１８を回らないように固定することができ、反対方向に回して緩めると溝部材１７，１８の回転が可能になる。
【００２７】
オペレータが固定ねじを操作して溝部材１７，１８を回転可能にしたうえで、ノブ２２を持って所望方向に溝部材１７，１８を所望角度だけ回転させると、望みの湾曲面を溝１３ａの内側にセットすることが可能である。そして、固定ねじを操作して溝部材１７，１８の回転を固定すると、チョッパブレード１５によって溝１３ａ内に押し込まれる折丁ａは溝１３ａの内側にセットされた溝部材１７，１８の所望の湾曲面に接しつつ溝１３ａ下へと案内される。
【００２８】
また、一対の溝部材１７，１８は、両者間の間隔を加減する間隔調整手段を介してチョッパ装置１１の図示しない機枠に取り付けられる。すなわち、図２及び図４に示すように、間隔調整手段は一対の溝部材１７，１８の相対向する軸受部材１９，１９同士に各々螺合する送りネジ棒２３，２４を有する。そして、各送りネジ棒２３，２４には、一方の溝部材１７の軸受部材１９に螺合する螺旋２３ａ，２４ａと他方の溝部材１８の軸受部材１９に螺合する螺旋２３ｂ，２４ｂとが逆向きである雄ネジが形成される。送りネジ棒２３，２４の両端にはノブ２５が固定される。
【００２９】
これにより、オペレータがノブ２５を持って送りネジ棒２３，２４を所望方向に所望回数回転させると、軸受部材１９を介して一対の溝部材１７，１８が接近又は離反し、その結果あたかも溝１３ａの幅の大きさが変化するように溝部材１７，１８の間隔が加減される。
【００３０】
次に、上記構成のチョッパ装置１１の作用について説明する。
【００３１】
図１に示すように、印刷されたウェブＡが三角板６、各種ガイドローラ７、断裁胴８、受け胴９、咥え胴１０等を経て、所定回数折られた折丁ａとなってチョッパ装置１１に至ると、図２乃至図４に示すように、折丁ａはチョッパテーブル１３上のストッパ１４に当たってチョッパテーブル１３上の所定位置に停止する。
【００３２】
そこで、チョッパブレード１５が上下に一回動することによって、折丁ａの中心部が溝１３ａ内に押し込まれる。
【００３３】
折丁ａは溝１３ａ内に押し込まれつつ、溝１３ａの内側の一対の溝部材１７，１８に案内されつつ二つ折りされる。溝部材１７，１８は、ウェブＡの種類、厚さ等に応じてその湾曲面１７ａ，１７ｂ，１７ｃ，１７ｄ，１８ａ，１８ｂ，１８ｃ，１８ｄのうちのいずれかがあらかじめ選定されている。すなわち、オペレータによって図示しない固定ねじが操作され、溝部材１７，１８が回され、所望の湾曲面が折丁ａに接する位置にセットされたうえで溝部材１７，１８が軸受部材１９に固定されている。また、送りネジ棒２３，２４がオペレータによって回されることで、一対の溝部材１７，１８の間隔が折丁ａの通過しやすい大きさに加減されている。
【００３４】
折丁ａはチョッパブレード１５によって、溝１３ａ内に押し込まれる際、ウェブＡの紙の種類等に応じた望ましい間隔と湾曲面を持った一対の溝部材１７，１８間を滑らかに通って下方の吸込みローラ１６に至る。
【００３５】
折丁ａの下側の折り目が溝部材１７，１８間を下方に通過すると、吸込みローラ１６によって更に折り癖を付けられて下方に排出される。
【００３６】
チョッパ装置１１へは折丁ａが次々と到達し、その都度折丁ａはチョッパ装置１１の上記動作によって折り曲げられ、チョッパテーブル１３の下方で集積される。
【００３７】
なお、本発明は、上記実施の形態に限定されるものではなく、種々の変更が可能である。
【符号の説明】
【００３８】
１１…チョッパ装置
１３…チョッパテーブル
１３ａ…溝
１５…チョッパブレード
１７，１８…溝部材
１７ａ，１７ｂ，１７ｃ，１７ｄ，１８ａ，１８ｂ，１８ｃ，１８ｄ…湾曲面
１９…軸受部材
２３，２４…送りネジ棒
２３ａ，２４ａ，２３ｂ，２４ｂ…螺旋
ａ…折丁
【図１】
0005966497.tif 000002
【図２】
0005966497.tif 000003
【図３】
0005966497.tif 000004
【図４】
0005966497.tif 000005
【図５】
0005966497.tif 000006